(57)【特許請求の範囲】
【請求項１】
２つの電気出力端子と２つの電気入力端子とを含む複数の電気端子を有する電話ベースユニツト（５４，５８）のハンドセツトポートと電話アクセサリ（６０，６２）とを適切にインタフェースするシステムであって、
ａ．前記出力端子及び前記入力端子に結合するための所定数のインタフェースポート端子を有するインタフェースポート（２０２）と、
ｂ．受信線路および送信線路を有し、当該受信線路および送信線路を介して電話アクセサリ（６０，６２）と信号の送受信を行う信号処理回路（２００）と、
ｃ．前記インタフェースポート（２０２）と前記受信線路および送信線路との間に結合され、前記出力端子を受信線路に、前記入力端子を送信線路に、それぞれ電気的に接続するための線路切替回路（２）と、
ｄ．前記線路切替回路（２）に接続され、電話ベースユニツト（５４，５８）を経由して到来した信号に基づき、複数の電気端子から前記受信線路に接続すべき出力端子を自動的に選択する決定手段（１００）と、
を有することを特徴とする電気通信インタフェースシステム。
【請求項２】
信号処理回路（２００）の送信線路は、受信線路を監視する決定手段（１００）により、電話ベースユニツト（５４，５８）のサイドトーン特性を適切に修正することを特徴とする請求項１記載の電気通信インタフェースシステム。
【請求項３】
信号処理回路（２００）は、入力端子及び出力端子の受信線路及び送信線路との結合を操作するため線路切替回路（２）に結合される制御手段（１）を含むことを特徴とする請求項１記載の電気通信インタフェースシステム。
【請求項４】
信号処理回路（２００）は極性に無関係に、電話ベースユニツト（５４，５８）から入力信号を受信するために受信線路内に差動増幅器（RX-1）を含むことを特徴とする請求項３記載の電気通信インタフェースシステム。
【請求項５】
信号処理回路（２００）は、受信線路内に受信利得調節回路（RX-2）を有し、所定の振幅範囲を有する調節された入力信号を作るために差動増幅器（RX-1）に結合されていることを特徴とする請求項４記載の電気通信インタフェースシステム。
【請求項６】
受信利得調整回路（RX-2）は入力信号を所定の基準レベルに調節することを特徴とする請求項５記載の電気通信インタフェースシステム。
【請求項７】
信号処理回路（２００）は、入力信号の音量を手動制御するため受信線路内にレベル制御手段（RX-3）を含むことを特徴とする請求項５記載の電気通信インタフェースシステム。
【請求項８】
レベル制御手段（RX-3）が動的に入力信号の音量を制限することを特徴とする請求項６記載の電気通信インタフェースシステム。
【請求項９】
信号処理手段（２００）がレベル制御手段（RX-3）を制御するためレベル制御手段（RX-3）に結合された自動レベル制御回路（RX-5）を含むことを特徴とする請求項８記載の電気通信インタフェースシステム。
【請求項１０】
信号処理手段（２００）が電話アクセサリ（６０、６２）を駆動するため受信線路内に出力増幅器（RX−4）を含むことを特徴とする請求項８記載の電気通信インタフェースシステム。
【請求項１１】
電話アグセサリ（６０、６２）がヘッドセットであることを特徴とする請求項８記載の電気通信インタフェースシステム。
【請求項１２】
電話アクセサリ（６０、６２）がハンドセットであることを特徴とする請求項１０記載の電気通信インタフェースシステム。
【請求項１３】
信号処理回路（２００）が受信利得調整回路（RX-2）と決定手段（１００）との間に結合された入力信号をサンプリングするための手段（RX−8）を含むことを特徴とする請求項８記載の電気通信インタフェースシステム。
【請求項１４】
信号処理回路（２００）が送信線路内に送信増幅器（TX-6）を含み、インタフェース極性要求に依存して出力信号を形成するため線路切替回路（２）に結合されることを特徴とする請求項１記載の電気通信インタフェースシステム。
【請求項１５】
信号処理回路（２００）が、送信線路内に送信利得調整回路（TX−5）を含み、所定の振幅範囲を有する調整された出力信号を形成するため送信幅器（TX-6）に結合されていることを特徴とする請求項１４記載の電気通信インタフェースシステム。
【請求項１６】
信号処理回路（２００）が、送信線路内に結合され、出力信号の利得を手動制御するため送信利得調整回路（TX−5）に結合されることを特徴とする請求項１５記載の電気通信インタフェースシステム。
【請求項１７】
信号処理回路（２００）が、出力信号を増幅するため送信線路内に結合された出力増幅器手段（TX-2）を含むことを特徴とする請求項１５記載の電気通信インタフェースシステム。
【請求項１８】
信号処理回路（２００）が、出力信号の雑音のレベルを低下させるため出力増幅器手段（TX-2）に結合された手段（TX-4）を含むことを特徴とする請求項１７記載の電気通信インタフェースシステム。
【請求項１９】
信号処理回路（２００）が、入力信号をサンプリングし、送信線路を修正するのに使用される修正信号をフィルタするための手段（TX-8）に結合された出力基準ローパスフイルタ（TX-1）を含むことを特徴とする請求項２記載の電気通信インタフェースシステム。
【請求項２０】
信号処理回路（２００）が、線路切替回路（２）の手動制御を行うための制御手段（１）を手動制御する手段（１００）を含むことを特徴とする請求項１記載の電気通信インタフェースシステム。
【請求項２１】
信号処理回路（２００）が、インタフェースシステム（５０）を低消費電力状態におくため受信線路に結合された手段（１１）を含むことを特徴とする請求項５記載の電気通信インタフェースシステム。
【請求項２２】
信号処理回路（２００）が、インタフェースシステムを低消費電力状態におき、決定手段（１００）に印加される安定基準電圧を形成するための手段（１１）に結合されたバンドギャツプ基準回路（１２）を含むことを特徴とする請求項２１記載の電気通信インタフェースシステム。
【請求項２３】
アクセサリ（６０，６２）が音声アクセサリであることを特徴とする請求項１記載の電気通信インタフェースシステム。
【請求項２４】
アクセサリ（６０，６２）がデータアクセサリであることを特徴とする請求項１記載の電気通信インタフェースシステム。
【請求項２５】
２つの電気出力端子と２つの電気入力端子とを含む複数の電気端子を有する電気ベースユニツト（５４，５８）のハンドセツトポートと電話アクセサリ（６０，６２）を適切にインタフェースする受信線路と送信線路とを持った信号処理回路（２００）を有する電気通信インタフェースシステム（５０）であって、インタフェースシステム（５０）は出力端子を受信線路に、また入力端子を送信線路に最適条件にて結合するように構成されているものにおいて、
ａ．中央局ダイアルトーンを送信してくる複数の電気端子を探索し、
ｂ．入力電気端子を介して中央局ダイアルトーンを検出し、
ｃ．受信線路に入力電気端子を電気的に結合し、
ｄ．中央局ダイアルトーンのレベルを受信レベル基準と比較することにより受信線路の感度を調節し、
ｅ．出力電気端子を送信線路と電気的に結合し、
ｆ．送信線路に較正用の送信基準信号を印加し、電話ベースユニツト（５４，５８）のサイドトーン特性を介して当該送信基準信号を受信する受信線路を監視することによって送信線路の感度を調節する
ことを特徴とする電気通信インタフェースシステムの構成方法。
【請求項２６】
２つの電気出力端子と２つの電気入力端子とを含む複数の電気端子を有する電話ベースユニツト（５４，５８）のハンドセツトポートと電話アクセサリ（６０，６２）を適切にインタフェースする受信線路と送信線路とを持った信号処理回路（２００）を有する電気通信インタフェースシステム（５０）であって、インタフェースシステム（５０）は出力端子を受信線路に、また入力端子を送信線路に最適条件にて結合されるように構成されているものにおいて、
ａ．遠隔のホストと電話ベースユニツト（５４，５８）との間の電話接続を形成し、
ｂ．遠隔のホストから信号を送信してくる複数の電気端子を探索し、
ｃ．入力電気端子を通してホストから送られてくる信号を検出し、
ｄ．受信線路内に入力電気端子を電気的に結合し、
ｅ．受信線路内に存在するホストから送られた信号レベルを受信レベル基準と比較することにより受信線路の感度を調節し、
ｆ．ホストから送られてくる信号をディスエーブルにし、
ｇ．送信線路に出力電気端子を電気的に結合し、
ｈ．送信線路に較正用の送信基準信号を印加し、電話ベースユニツト（５４，５８）のサイドトーン特性を介して当該送信基準信号を受信する受信線路を監視することによって送信線路の感度を調節する
ことを特徴とする電気通信インタフェースシステムの構成方法。
【請求項２７】
２つの電気出力端子と２つの電気入力端子とを含む複数の電気端子を有する電話ベースユニツト（５４，５８）のハンドセツトポートと電話アクセサリ（６０，６２）を適切にインタフェースする受信線路と送信線路とを持った信号処理回路（２００）を有する電気通信インタフェースシステム（５０）であって、インタフェースシステム（５０）は出力端子を受信線路に、また入力端子を送信線路に適切に結合されるように構成されているものにおいて、
ａ．出力端子と入力端子にインタフェースポート（２０２）を結合するため所定の数のインタフェースポート端子を有するインタフェースポート（２０２）と、
ｂ．受信線路と送信線路とを有し、受信線路及び送信線路を介して電話アクセサリと通信するための信号処理回路（２００）と、
ｃ．インタフェースポートと信号処理ユニット（２００）との間に結合され、出力端子を受信線路と、また入力端子を送信線路と電気的に結合するための交点スイツチアレイ（２）と、
ｄ．交点スイツチアレイ（２）に結合され、複数の電気端子から出力端子を選択するため交点スイツチアレイを操作するための決定手段（１００）と
を有することを特徴とする電気通信インタフェースシステム。
【請求項２８】
信号処理回路（２００）は、
ａ．入力端子及び出力端子の受信線路及び送信線路との結合を操作するため交点スイツチアレイ（２）に結合された３２ビツトアドレス指定可能なラッチと、
ｂ．受信線路及び送信線路の対応するインピーダンスを調整するため３２ビツトアドレス指定可能なラッチ（１）に結合されたシャント選択アレイ（３）と、
ｃ．受信線路内の交点スイツチアレイ（２）に結合され、２つの受信線路間の差を増幅するための受信入力差動増幅器（RX-1）と、
ｄ．入力差動増幅器（RX-1）の2つの受信線路間に結合された1ｋオーム抵抗と、
ｅ．差動増幅器（RX-1）に結合され、電話ベースユニツト（５４，５８）のインピーダンス特性と感度特性に関係なく調整された入力信号を提供する受信ステップ減衰器（RX-2）と、
ｆ．受信ステップ減衰器（RX-２）と３２ビツトアドレス可能ラッチ（１）との間に結合され、入力ステツプ減衰器（RX−2）の制御を行うための入力マルチプレクサ（５）と、
ｇ．入力ステツプ減衰器（RX-2）に結合され、入力信号の音量制御を行うための入力電圧制御増幅器（RX-3）と、
ｈ．長く続く高デシベルの音量からユーザーを守るため動的出力制限システムを提供するための自動レベル制御回路（RX-5）と、
ｉ．入力電圧制御増幅器（RX-3）に結合され、電話アクセサリ（６０，６２）を駆動するための出力増幅器（RX-4）と、
ｊ．入力ステツプ減衰器（RX-２）と３２ビットアドレス可能ラッチ（１）との間に結合され、信号を決定的にフィルタする手段を提供する切り替え可能なダイアルトーンフィルタ（RX-6）と、
ｋ．切り替え可能なダイアルトーンフィルタ（RX-6）に結合されたエイリアス除去フィルタ（RX-7）と、
ｌ．エイリアス除去フィルタ（RX-7）に結合され、適切な入力端子及び出力端子が位置付けられているときを決定し、入力信号をサンプリングするためのサンプルボード回路（RX-8）と、
ｍ．送信線路内の交点スイツチアレイ（２）に結合され、出力信号を提供するための送信増幅器（TX-6）と、
ｎ．送信増幅器（TX-6）に結合され、出力信号の利得を調節するための送信ステップ減衰器（TX-5）と、
ｏ．送信ステップ減衰器（TX-５）と３２ビツトアドレス可能ラッチ（１）との間に結合され、送信ステップ減衰器（TX−5）を制御するための出力マルチプレクサ（６）と、
ｐ．送信ステップ減衰器（TX-5）に結合され、出力信号を更に利得調整するための出力電圧制御増幅器（TX-3）と、
ｑ．出力電圧制御増幅器（TX−3）に結合され、電子的雑音低減を使用して出力信号中の雑音を低減する拡張回路（TX-4）と、
ｒ．出力電圧制御増幅器（TX−3）と、拡張回路（TX-4）とに結合され、送信線路を修正するのに使用される基準信号をフィルタするための出力基準ローパスフイルタ（TX-1）と、
ｓ．出力電圧制御増幅器（TX-3）と、拡張回路（TX-4）とに結合され、出力信号レベルを高めるための出力前置増幅器（TX-2）と、
ｔ．受信線路に結合され、入力信号を監視し、入力信号が閥値レベル以下に低下したとき信号処理回路（２００）を待機モードに置くためのスリープシステム電源回路（１１）とを有することを特徴とする請求項２８記載の電気通信インタフェースシステム。
【請求項２９】
電話アクセサリ（６０，６２）が誘導性負荷を形成することを特徴とする請求項２９記載の電気通信インタフェースシステム。
【請求項３０】
電話アクセサリ（６０，６２）がヘッドセットであることを特徴とする請求項２９記載の電気通信インタフェースシステム。
【請求項３１】
電話アクセサリ（６０，６２）がハンドセットであることを特徴とする請求項２９記載の電気通信インタフェースシステム。
【請求項３２】
電話アクセサリ（６０，６２）が容量性負荷を形成することを特徴とする請求項２９記載の電気通信インタフェースシステム。
【請求項３３】
電話アクセサリ（６０，６２）が抵抗性負荷を形成することを特徴とする請求項２９記載の電気通信インタフェースシステム。
【請求項３４】
電話アクセサリ（６０，６２）が音声アクセサリであることを特徴とする請求項２９記載の電気通信インタフェースシステム。
【請求項３５】
電話アクセサリ（６０，６２）がデータアクセサリであることを特徴とする請求項２９記載の電気通信インタフェースシステム。
【請求項３６】
検出された信号がダイアルトーン信号であることを特徴とする請求項１記載の電気通信インタフェースシステム。
【発明の詳細な説明】
【０００１】
【発明の属する技術分野】
本発明は電話技術の分野に関する。特に、送受信線路それぞれに２本の線を使用する電話ベースユニットのハンドセット/ヘッドセットポートへの４線式インタフェースを提供できる電気通信インタフェースシステムに関する。
【０００２】
【従来の技術】
本発明の背景を説明するに当たり、電話ネットワークは二つの部分に分割して考えることができる。第一の部分は、電話会社から加入者の自宅または事務所にある中央局（以下COと称す）の接続点を含み接続点までの全てのものを含める。第二の部分は、中央局接続点からの全てのものを含み、所有者システム（キー/PBX）とそれに対応する所有者電話機と同様に、この接続点に直接接続される個々の電話機を含む。
【０００３】
第一の部分にあるものは（米国においては）全て米国連邦通信委員会の規制を受け、それゆえ規格があって、電話機メーカーとシステムメーカーとは規格に基づいたインタフェース装置にしなければならない。これは、電話機と電話システムとを含む、中央局電話網に直接接続される全ての装置を含んでいる。電話産業が面している一つの問題は、所有者電話機と全てのハンドセットのように電話網と直接接続されていない電話機に関係するものを含めて、電話ネットワークの他の部分は規制されていないことである。
【０００４】
私設電話機は、一般的に電話ベースユニット（受話器本体）と、ハンドセット（手で持つ送受話器）／ヘッドセット（イヤホーン、ヘッドホーン等）のようなモジュラーアクセサリとを含んでいる。従って、電話機メーカーは、電話ベースユニットとハンドセット／ヘッドセットのようなアクセサリとの間のシステムをインタフェースに無関係に開発することができ、事実、無関係に開発している。このため、特定のベースユニットにおいて異なるタイプのハンドセット／ヘッドセットを使用しようとするときには、手動で再プログラミングを行わなければならないという問題が生じる。この問題は、事実上完全に所有者の物である、キーと構内交換機（PBX）システムステーションセットを使用するとき、特に顕著に現れる。多くのメーカーは、オリジナルな装置としてベースユニットと共に供給されるアクセサリを提供する。これらのアクセサリ製品の多くは、電話ステーションセットにおいて提供されていない、ヘッドセット、電子会議、ファクシミリ、および、モデム通信のような、音声とデータ両者のソリューションを提供している。
【０００５】
要求されていることは、商業的に利用できる非規制音声／データ製品をユーザーが自動的に較正して、インタフェースが有効になるようにする発明である。これによって、両立し難い問題が解決され、電話装置を選択するとき、より豊富な選択と柔軟性をユーザーに提供することができる。
【０００６】
【課題を解決するための手段】
本発明は、ユーザーが電話アクセサリ製品を、意図した電話ベースユニットと合致する最適なインタフェースに、自動的に較正できるようにすることによって、所有者ハンドセットポートと音声／データアクセサリとの間のインタフェース問題を解決する。これは、フルカスタムのアナログとセミカスタムのディジタルとの集積回路からなる「スマートインタフェース技術（以下SITと称す）」集積チップセットによって達成される。SITは殆どの電話ステーションセットに見られる４線式ポートモジュラーインタフェースの特性を「学習」するための三つの異なる方法を組み入れている。これらの方法は、対象となる電話ベースユニットに適した４線式端子構成、送信チャネル及び受信チャネルを決定し、最適でクリアな信号がユーザーに提供されるまでチャネル感度を調節する。
【発明の実施の形態】
【０００７】
図１は「COダイアルトーン学習シーケンス」のフローモデルである。これは、SITシステムが電話インタフェースの特性を「学習」するために使用する最初の方法である。「COダイアルトーン学習シーケンス」は自動化されており、最終ユーザーは知る必要がないので知らされていない。
【０００８】
バッテリーが始めて投入されるような、最初のシステム電源投入によって、「COダイアルトーン探索」ルーチンがイネーブルとなり、電話ベースユニットからの４線式インタフェース線路の任意の１対にあるCOダイアルトーン信号を検出し、確認する。COダイアルトーンが検出されると、「COダイアルトーン学習シーケンス」は完全にイネーブルとなる。
【０００９】
「COダイアルトーン学習シーケンス」は一回だけ作動させられるプロセスである。後で図７および図８を用いて再度説明するが、「学習シーケンス」が成功した後、電源故障の際にも正しい設定を保持するように、適切なビット指定可能ラッチ１（図８）の設定は、ディジタルMCU１００（図７）からEEPROM３００に記憶される。次のCOダイアルトーンは、システムリセットによって学習ルーチンを再びイネーブルにしない限り、学習シーケンスをイネーブルにしない。「COダイアルトーン学習シーケンス」は、ユーザーがシステムリセットスイッチ２５８を最少５秒間押し下げること、または、遠方よりアクセスがあったときのソフトシステムリセットによって、再びイネーブルになる。
【００１０】
「COダイアルトーン学習シーケンス」はCOダイアルトーンを位置決めすることから始まる。COダイアルトーンの位置は正しい受信線路を指示する。次に、受信入力ステップ減衰器RX-2（図８）は基準レベルに基づいて受信チャネル感度を３ｄＢ，６ｄＢ，１２ｄＢのように調節する。送信線路が次いで選択され、送信出力ステップ減衰器TX-5は基準レベルに基づいて送信チャネル感度を７ｄＢ，１４ｄＢ，２８ｄＢのように調節する。
【００１１】
図２は、SITの「自動800学習シーケンス」のフローモデルを示す。キーとPBXシステムステーションセットに関する規制がないので、遭遇するサイドトーン特性には広いバリエーションがある。従って、「COダイアルトーン法」によって使用される学習法では、時によっては、最適な総体的SITシステム性能を提供できないことがある。これに対し「自動８００法」は、SITシステムが４線式電話ポートインタフェースの特性を非常に正確に「学習」する手段を提供する。
【００１２】
「自動８００学習法」は、アクセスされる電話線路の終端に位置する「ホスト」システムと、エンドユーザーの場所に位置する「SIT」システムとの間の対話動作（自動的な信号授受）を含んでいる。ユーザーは指示された電話番号に電話し、「自動案内」メッセージの挨拶を受ける。ヘッドセットインタフェースのような音声アプリケーションの場合には、メッセージは、ユーザーに対し、システムリセットスイッチ２５８をほんのしばらく押し下げ、「ハンドセット/ヘッドセット」スイッチを「ヘッドセット」側にして、電話セットキーパッドのキーを押すよう指示する。キーを押すと、「自動案内」メッセージは中断され、「ホスト」は「SIT」システムにプリアンブル（クロック同期のためのフレームのヘッダー部分）を送出する。プリアンブルが検出されると、「自動８００学習法」はイネーブルとなる。
【００１３】
「ホスト」と「SIT」システムとの間の「自動８００学習法」の対話動作は、図２のフローモデルに示されており、「FSKデータ送信ダイアグラム」は図３に示されている。「ホスト」は「SIT」システムに「自動８００学習シーケンス」を開始するよう、予め定められた期間、プリアンブルを送出する。次いで、「ホスト」は、１kHzの基準信号を「SIT」システムの組み立て/較正のために、予め定められた期間、送出する。「SIT」システムはこの基準信号を内部基準と比較し、「SIT」システム送信チャネルの適切な組み立て/較正を確実にするために使用する。入ってきた１kHzの信号のレベルが基準レベルを満足していると、「ホスト」は「SIT」システムにレベル確認信号を送出し、「ホスト」と「SIT」システムとの間で「自動８００学習シーケンス」の完了を意味する最後の「相互接続」が行われる。
【００１４】
SIT「自動８００学習シーケンス」は、ホストによって送出されたプリアンブルを探索することによって始まる。一旦、プリアンブルが送出された線路の位置が分かると、その線路を正当な受信線路として選択する。次に、受信レベル基準と比較して受信チャネル感度を調節する。正当な受信線路を位置付けすると、送信線路を選択し、その感度を送信レベル基準信号と比較して調節する。
【００１５】
第三の、すなわち最後のインタフェース法は「手動８００法」である。この方法は、前に述べた学習シーケンスのいずれかが、接続しようとしている電話ポートインタフェースに最適な性能を提供するのに失敗したとき、使用される。「手動８００法」は、ユーザーが訓練された電話技術者と対話できるようにしている。電話技術者は、第二の「ホスト」システムを使用して遠方からSITシステムのパラメータの全てを実質的に調整する能力を有している。
【００１６】
SITシステムの「COダイアルトーン」と「自動８００学習」法は、システムの性能基準を満足するもっとも一般的な構成（コンフィグレーション）を選択する。時によりこれは全てのインタフェース環境に対し最適な線路構成の選択ではないことがあり得る。４線式ハンドセットポートインタフェースに対する特定の特性を支配する如何なる規制もないので、そこには各種の構成があり得る。電子式電話セットが多重の線路構成で動作するハンドセットポートインタフェースを有することは珍しいことではない。かかる線路構成はいずれも喜ばれるシステム性能を提供するものの、時として、特定の線路構成によっては希望しない無線周波数干渉または電磁気干渉に対し通常以上に敏感なものもある。このような場合、代わりの組み合わせをシステム性能最適化のために選択しなければならない。
【００１７】
代わりの組み合わせは、指示された電話番号にいる技術サポートスタッフメンバーにユーザーが電話することによって実行することができる。問題となる症状を限定した後、技術者は、適切なシーケンスプリアンブルを送出して、「COダイアルトーン学習シーケンス」、「自動８００学習シーケンス」、または、「手動８００法」の操作モードをイネーブルにすることができる。「手動８００法」の操作モードにおいて、技術者は、図８における交点スイッチアレイ２、受信入力ステップ減衰器RX−２または送信出力ステップ減衰器TX−５に関係するパラメータを直接操作し、変更することができる。
【００１８】
典型的な電話インタフェース構成の規制部分と非規制部分とのブロックダイアグラムが図６に示されている。電話会社５２の中央局線路と電話セット５４または電話システム５６のいずれかとの間の接続は規制されている。従って、多くのメーカーから出されている電話セットとシステムは中央局線路５２に直接接続することができる。電話システム５６とハイブリッドまたはディジタル電話セット５８との間の接続は規制されていない。電話セット５４または５８とアクセサリ６０または６２との間の接続もまた規制されていない。それゆえインタフェースするよう設計されていない限り、あるメーカーのアクセサリは他のメーカーの電話セットと動作しない可能性がある。
【００１９】
本発明は、アクセサリ６０、６２と電話ベースユニット５４、５８との間のインタフェースを提供する異なるプロトコルを持った「スマートインタフェース技術」（SIT）システムインターフェース５０を提供する。SITシステムインタフェース５０は、音声／データアクセサリ６０または６２が多くのメーカーから出されているそれぞれ異なるプロトコルを持つ電話ベースユニット５４と５８と共に使用できるようにする。
【００２０】
本発明のSITインタフェースシステムのブロックダイアグラムが図７に示されている。SITインタフェースシステムの好ましい実施例はフルカスタムのSITアナログ集積回路２００、セミカスタムディジタルマイクロコントローラ（以下MCUと称す）１００、１KシリアルEEOPROM３００、ベースユニットに接続するための４線式電話ハンドセットポート２０２、音声またはデータ２チャンネルインタフェースの入力ポート２０４および出力ポート２０６を有している。
【００２１】
アナログ集積回路２００は、４線式線路インタフェースを通して電話ハンドセットポート２０２に結合される。このインタフェースは、それぞれ２線式の送信（Tx）と受信（Rx）線路ペアを確立し選択することができる。よく知られているように、送信受信ペアはポートにおいてしばしば同一の２線式線路でなく、共通帰線信号線路を共有していることがある。
【００２２】
ディジタルMCU１００の出力P4からP10は、それぞれアナログ集積回路２００の入力LAOからLA4、DATA INおよびMODE／ENABLEに結合されている。この結合によって、以下に論じるように、ディジタルMCU１００はアナログ集積回路２００内の各種のブロックを制御できる。
【００２３】
アナログ集積回路２００の受信信号Rx REF OUTはディジタルMCU１００のアナログ／ディジタル（A/D）入力に結合されており、アナログ集積回路２００が電話ベースユニットから受信した入力信号をサンプリングした信号情報を提供する。ディジタルMCU１００は、この信号情報を次の決定及び制御のために、すなわち、適切な線路構成が選択されたかどうかを決定しかつ受信と送信のチャネル感度を制御するために使用する。
【００２４】
ディジタルMCU１００からの信号TONE OUTはアナログ集積回路２００の入力TXREFに結合されていて、ディジタルMCU１００が、送信基準信号としての１kHzの較正用送信トーン信号をアナログ集積回路２００を通して提供し、送信線路の適切な選択と送信チャネルの感度設定とを容易にできるようにしている。
【００２５】
ディジタルMCU１００とアナログ集積回路２００両者の入力RESETはパワーオンリセット回路スイッチ２５０に結合されている。リセット入力２５０は、電話ベースユニットの特性を「学習」するために、本発明に係るSITシステムに対する三つの「学習シーケンス」の一つを作動させるようにSITシステムをリセットすることができる。リセット回路２５０はユーザーによって作動されるリセットスイッチ２５８に結合されている。
【００２６】
シリアル１K EEPROM３００はディジタルMCU１００に結合され、「学習シーケンス」が成功裏に実行された後、付属の電話ベースユニットについて「学習した」特性を記憶する。アナログ集積回路２００を制御するために「学習した」設定は、電源故障のときでもEEPROM３００内に保持されている。
【００２７】
水晶発振器２０８は、本発明のSITシステムインターフェース５０の全てのシステムタイミングを制御するディジタルMCU１００によるクロック信号の生成のために、ディジタルMCU１００の入力XinとXout（共に図示していない）とに結合される。
【００２８】
受信音量制御２５２はアナログ集積回路２００の入力RX VC INに結合され、ユーザーが受信信号の出力レベルを聞きやすい音量になるよう調節できる音声アプリケーションに主として使用される。
【００２９】
送信音量制御２５４はアナログ集積回路２００の入力TX VC INに結合され、電話ベースユニット送信信号の正確なレベル合わせのための微調整用に使用されるミュートスイッチ２５６はアナログ集積回路２００の入力MUTEに結合され、何らかの信号が電話ベースユニットに送信されることを一時的に阻止するため、ユーザーが送信初段増幅器をディスエーブルにする音声アプリケーションに主として使用される。
【００３０】
送信チャネルの音声またはデータ入力ポート２０４はアナログ集積回路２００の入力MIC INに結合されている。これはユーザーと本発明のSITシステムとの間の最初の入力点である。音声アプリケーションにおいて、入力MIC INは好ましくはエレクトレット型マイクロホンに結合される。
【００３１】
受信チャネルの音声またはデータ出力ポート２０６はアナログ集積回路２００の出力RX OUTから静電容量を介して結合され、電話ベースユニットからユーザーに等化されて到来した信号を提供する。音声アプリケーションにおいて、出力RX OUTは音響スピーカーに接続されるのが好ましい。ユーザーまたはインタフェース装置に対し有害な大きくて好ましくない信号に対し圧縮器として働くアナログ集積回路２００の入力ALC IN（ALC：自動レベル制御）にも出力RX OUTは結合されている。
【００３２】
ディジタルMCU１００、アナログ集積回路２００および１K EEPROM３００は好ましくはバッテリーAAで給電され、直流３〜５ボルトの供給電圧で動作することができる。ディジタルMCU１００はアナログ集積回路２００によって生成されたバンドギャップDC基準電圧VREFに結合されている。
【００３３】
タイミング静電容量２１０、２１２、２１４および２１６はそれぞれアナログ集積回路２００の入力XPND1、XPND2、ALC TC2及びALC TC1に結合されているこれらのタイミング静電容量２１０、２１２、２１４および２１６は、次にアナログ集積回路２００内の各種のブロックに結合され、拡張器、圧縮器およびスリープ回路と連携して各種の開始および開放時期を制御するために使用される。
【００３４】
フィルタ静電容量２１８、２２０、２２２および２２４はそれぞれアナログ集積回路２００の入力TX FILT1、TX FILT2、RX FILT1およびRX FILT2に結合されている。これらのフィルタ静電容量２１８、２２０、２２２および２２４は、次に受信送信チャネル出力増幅器に結合され、チャネルの周波数応答特性を設定するために使用される。
【００３５】
結合静電容量２２６はアナログ集積回路２００の受信入力RX1 INと受信出力RX1 OUTとの間に結合される。結合静電容量２２８はアナログ集積回路２００の受信入力RX2 INと受信出力RX2 OUTとの間に結合される。結合静電容量２３０はアナログ集積回路２００の送信入力TX1 INと送信出力TX OUTとの間に結合される。結合静電容量２３２はアナログ集積回路２００の入力TX2 RETと接地との間に結合される。結合静電容量２３４はアナログ集積回路２００の入力MIC INと音声／データ入力ポート206との間に結合される。結合静電容量２３６はアナログ集積回路２００の出力RX OUTと音声／データ入力ポート２０４との間に結合される。結合静電容量２２６、２２８、２３０、２３２、２３４および２３６はDCオフセットを取り除き、アナログ集積回路２００の受信と送信両チャネルに見られる各種送信受信信号ブロックに入るAC入力信号およびそこから出る出力信号を結合するために使用される。
【００３６】
SITアナログ集積回路２００の好ましい実施例のシステムブロックダイアグラムが図８に示されている。図７に示すように、SITアナログ集積回路２００は電話ベースユニットに直接インタフェースするよう設計され、セミカスタムディジタルMCU１００によって制御されるフルカスタム回路である。
【００３７】
アナログ集積回路２００内で、３２ビットアドレス指定可能ラッチ１はアナログ集積回路２００のピンLA0からLA4に結合される入力BA0からBA4を有している。３２ビットアドレス指定可能ラッチ１の入力DATA INと出力DATA OUTとはそれぞれアナログ集積回路２００のピンDATA INとDATA OUTとに結合されている。ラッチ１のイネーブル入力ENABLEはモードラッチ４と回路２００のピンENABLEとに結合されている。ラッチ１のリセット入力RESETはモードラッチ４と回路２００のピンRESETとに結合されている。モードラッチ４はピンENABLEとRESETとから来る信号によって制御され、回路２００が動作している電流モードをセーブする。ラッチ１の出力b0からb15は、４×４の交点スイッチアレイ２を制御するために結合される。ラッチ１の出力b16からb18は受信入力マルチプレクサ５を制御するよう結合される。ラッチ１の出力b19からb21は送信出力マルチプレクサ６を制御するよう結合される。ラッチ１の出力b22は、受信／送信のディスエーブル／イネーブル制御信号を提供する。ラッチ１の出力b23は切り替え可能ダイアルトーンフィルタRX-6の入力ONに結合される。ラッチ１の出力b24はフリップフロップ７の入力PRとマルチプレクサ９の入力Aと切り替え可能ダイアルトーンフィルタRX-6のクロック入力CLKとに結合される。ラッチ１の出力b25は、信号S/H SPEEDを提供し、フリップフロップ７の入力Cとマルチプレクサ９の選択入力とに結合される。ラッチ１の出力b26からb31は１００オームのシャントセレクトアレイ３を制御するよう結合される。
【００３８】
４線式電話ポート２０２の４本の線路LINE1〜LINE4はアレイ３に入力として結合される。アレイ３はまたアレイ２にも結合される。アレイ２の出力は、アナログ集積回路２００のピンRX1 OUTとRX2 OUTとに結合され、出力受信信号を提供する。アレイ２の入力は回路２００のピンTX1 INとTX2 RTNとに結合され、送信信号を受信する。マルチプレクサ5の出力は受信入力ステップ減衰器RX-2の入力D0、D1、D2に結合される。制御入力MRX-0、1とb16、17、18の二組がマルチプレクサ5に結合される。マルチプレクサ６の出力は送信出力ステップ減衰器TX-5の入力D0、D1、D2に結合される。制御入力0、1、2とBIT19、20、21の二組はマルチプレクサ６に結合される。モードラッチ４の出力MODEはマルチプレクサ５と６の選択制御入力に結合される。
【００３９】
アナログ集積回路２００の受信入力ピンRX1 INとRX2 INとは受信入力差動増幅器RX-1の入力に結合される。増幅器RX-1の出力は受信入力ステップ減衰器RX-2に入力として結合される。減衰器RX-2の出力は、受信電圧制御増幅器（受信VCA）RX-3に入力として結合され、スイッチ切り替えダイアルトーンフィルタRX-6に入力として結合され、そして、減衰器RX-2からの受信信号出力のレベルをテストするため回路２００のピンTEST RX LEVに結合される。
【００４０】
回路２００の受信電圧制御ピンRX VC INは受信VCA RX-3に制御入力として結合される。回路２００の自動レベル制御（ALC）ピンALC TC1とALC TC2とALC INPUTとは、ALC回路RX-5に入力として結合される。ALC回路RX-5の出力は受信VCA RX-3にALC入力として結合される。受信VCA RX-3の出力は回路２００の受信フィルタピンRX FILT1に結合され、受信出力増幅器RX-4に入力として結合されるラッチ１の出力b22は増幅器RX-4に受信ディスエーブル入力として結合される増幅器RX-4の出力は回路２００の受信フィルタピンRX FILT2に結合される。受信出力信号は増幅器RX-4から出力として提供され、回路２００の受信出力ピンRX OUTに結合される。
【００４１】
回路２００の送信基準入力ピンTX REF INPUT（右端下方）は送信基準フィルタTX-1に入力として結合される。ラッチ1の出力b24はフィルタTX-1にクロック入力として結合される。回路２００の送信入力ピンTX INPUT（右下端）は送信前置増幅回路TX-2に入力として結合される。回路２００のミュートピンMUTEは前置増幅回路TX-2に入力として結合される。ラッチ1の出力b22は前置増幅回路TX-2に送信イネーブル入力として結合される。前置増幅回路TX-2の出力はフィルタTX-1の出力に結合され、送信VCA TX-3と拡張回路TX-4とに入力として結合される。
【００４２】
回路２００のピンXPD1 CAPとXPD2 CAPとは拡張回路TX-4に入力として結合される。拡張回路TX-4の出力は送信VCA TX-3に入力として結合される。回路２００の送信ピンTX VCINは送信VCA TX-3の入力に結合される。送信VCA TX-3の出力は送信出力ステップ減衰器TX-5に入力として結合される。減衰器TX-5の出力は送信出力増幅器TX-6に入力として結合される。回路200の送信フィルタピンTX FILT1とTX FILT2とは増幅器TX-6の入力に結合される。送信出力信号は増幅器TX-6から出力され、回路200の送信出力ピンTX OUTに結合される。
【００４３】
フリップフロップ7の入力Dは接地される。フリップフロップ7の出力Qは1/2分周器８と1/16分周器１０とにリセット入力として結合される。1/2分周器８の出力はマルチプレクサ９に入力Bとして結合される。マルチプレクサ９の出力0は1/16分周器１０に入力として結合され、エイリアス除去フィルタ回路RX-7に結合される。スイッチ切り替えダイアルトーンフィルタ回路RX-6の出力はフィルタRX-7に入力として結合される。フィルタRX-7の出力はサンプルホールド回路RX-8に入力として結合される。1/16分周器１０の出力はサンプルホールド回路RX-8に入力として結合される。サンプルホールド回路RX-8の出力は回路２００の受信レベル基準ピンRX LEVEL REFに結合される。
【００４４】
回路２００のタイミング静電容量ピンTIME CAPはスリープ回路とシステム電源１１に入力として結合される。回路２００の給電入力ピンVCC、RXVss、TXVss及びDIGVssはスリープ回路とシステム電源１１に入力として結合される。増幅器RX-1への入力RX1とRX2とはスリープ回路とシステム電源１１に入力として結合される。スリープ回路とシステム電源１１の出力はバンドギャップ基準回路１２に結合される。バンドギャップ基準回路１２の出力は回路２００の電圧基準ピンVREFに結合される。
【００４５】
図７のディジタルMCU１００は、回路２００内の３２ビットアドレス指定可能ラッチ１（図８）をアドレスし、操作することができる。それによって、アナログ集積回路２００内で、４×４交点スイッチアレイ２と１００オームシャント抵抗アレイ３とを制御する。交点スイッチアレイ２は、アレイ３を経由して、４本線の電話ベースユニットジャック２０２に直接結合された、線路１-４で示された、四つの入力ポートを持っている。１００オームシャント抵抗アレイ３は、図９に示すように交点スイッチアレイ２の入力ポートに並列接続され、４線路入力の任意の２線路に１００オームのシャント抵抗を提供する６個の切り替え可能シャント抵抗を持っている。
【００４６】
本発明のインタフェースシステムを含む電話アクセサリが最初に電話ベースユニットにプラグインされるとき、アクセサリは、電話ベースユニットと電子的通信が未だ最適に構成されておらず、動作しない可能性がある。中央局ダイアルトーンは電話ベースユニットによってジャック２０２の二つの線路に印加される。ディジタルMCU１００の制御の下で、アドレス指定ラッチ１は交点スイッチアレイ２とシャント選択アレイ３とを操作し、COダイアルトーンがディジタルMCUによって受信チャネルにセンスされるまで線路入力ポートの対を順次結合する。次に、この情報はディジタルMCU１００によってさらに解析するためラッチされる。
【００４７】
COダイアルトーンが検出された二本の受信線路は、既知の抵抗インピーダンスで終端された受信入力差動増幅器RX-１に結合される。好ましい実施例では、抵抗インピーダンスは１ｋオームである。
【００４８】
商業的に利用できる電話の間には２８dBの感度の変動幅がある。従って、音声アプリケーションでは、一つの電話ベースユニットで良好に動作する電話ハンドセットまたは他のアクセサリが、二番目の電話ベースユニットで使用されるときには好ましくない大音量となるか、または三番目の電話ベースユニットで使用されるときに極めて静かになることがある。この問題を解決するため、差動増幅器RX-１の出力は受信ステップ減衰器RX-２の入力に結合されている。受信ステップ減衰器RX-２は最初最大の減衰になるよう構成され、次いで、予め決められた目標基準レベルがディジタルMCU１００によってセンスされるまで、受信信号を４dBずつ増加させる。それによって受信チャネル感度を整合させる。受信ステップ減衰器RX-2は、３２ビットアドレス指定可能ラッチ１によって制御される受信入力マルチプレクサ５に結合される。ディジタルMCU１００はビットアドレス可能ラッチ１と受信入力マルチプレクサ５の両者を制御し、それによってステップ減衰器RX-２による減衰を設定する。
【００４９】
受信チャネル感度を整合させられた受信信号は固定した利得を持つか、または、電圧制御増幅器RX-3に結合されたポートRX VC INを介して受信信号の音量レベルをユーザーが手動で制御できる電圧制御増幅器RX-3に結合される。自動レベル制御回路RX-5の出力は、電圧制御増幅器RX-3のALC制御入力に結合され増幅器の利得を制御できる。
【００５０】
自動レベル制御回路RX-５は最大動的範囲４０dBの動的出力制限システムとして動作する。自動レベル制御回路RX-5の入力は受信チャネルの出力レベルをサンプリングし、図７に示すALCレベル調節回路２６０を使用して調節される選択可能制限閾値を持つ。自動レベル制御回路RX-５は、過大で好ましくなく有害な信号がユーザーに到達することを阻止するよう、受信信号の出力レベルを予め決められたレベルに制限することができる。音声アプリケーションにおいて、ユーザーの耳は自動レベル制御回路RX-５によって長期の高デシベル音から保護されることになり、これによって、ユーザーの聴覚に対する損傷を防止できる。ALCタイミング静電容量２１４と２１６とは、図７に示すように、ピンALC TC1とALC TC2とに結合され、ALC回路RX-5の開始と開放のタイミング特性を設定するために使用される。
【００５１】
レベル合わせをされた受信信号は受信VCA RX-3から出力され、音声またはデータインタフェースと互換性のある受信出力ポートRX OUTを介して、抵抗性、静電容量性および誘導性負荷を駆動できる受信出力増幅器RX-4に入力として結合される。フィルタ静電容量２２２と２２４とは、図６に示すように、回路２００のピンRXFILT1とRX FILT2とに結合され、受信チャネル周波数応答を決定するために使用される。
【００５２】
ディジタルMCU１００は、受信レベル基準ポートRX LEVEL REFを通して信号をサンプリングすることによって受信信号を監視する。ディジタルMCU１００に対する受信信号サンプリングは受信ステップ減衰器RX-2の出力から取り出され、ダイアルトーンフィルタRX-6で、次いで、エイリアス除去フィルタRX-７でフィルタされる。受信信号サンプリングは、受信レベル基準ポートRX LEVEL REFに通される前に、最終的にサンプルホールド回路RX-７に結合される。受信レベル基準ポートRX LEVEL REFはディジタルMCU１００のA/D入力に直接結合される。ディジタルMCU１００は、３２ビットアドレス可能ラッチ１を介して、ダイアルトーンフィルタRX-６、エイリアス除去フィルタRX-７およびサンプルホールド回路RX-８を制御し、ブロック７、８、９および１０に示されるクロック回路を使用してこれらのスイッチドキャパシタフィルタを同期させる。
【００５３】
一度、受信線路が決定され、チャネル感度が最適な状態に調節されると、送信線路と感度とが決定される。選択された受信線路に基づいて、ある送信線路の構成の実現可能性が高く、システムアルゴリズムにおいて優先されるとする。
【００５４】
電話ベースユニットの側音（サイドトーン）特性を使用して、ディジタルMCU１００は、送信チャネルを較正するため受信レベル基準出力ポートRX LEVEL REFを介して受信信号パスの監視を続けようとする。
【００５５】
送信前置増幅器TX-2はユーザーの音声またはデータ入力信号に対するインタフェースとして使用され、ユーザーポーションのチャネルミュートに加えて入力信号をいくらか前置増幅する。このミュート段は、「学習」プロセス中はユーザーが送信パスに相違した信号を挿入することを防止するためディスエーブルされることに注意されたい。送信前置増幅器TX-2の出力は送信電圧増幅器（送信VCA）TX-3と送信拡張回路TX-4とに結合される。
【００５６】
「学習」手順中はディジタルMCU１００は１kHzの送信較正信号を送信基準入力ポートTX REF INPUTに向けて生成する。１kHzの較正信号は次に３２ビットアドレス指定可能ラッチ１とディジタルMCU１００とによって制御される送信基準ローパスフィルタTX-1に結合される。送信基準ローパスフィルタTX-1は較正信号の奇数高調波をフィルタし、そのフィルタした信号を送信VCA TX-3と拡張回路TX-4とに出力する。
【００５７】
拡張回路TX-4の入力は送信前置増幅器TX-2と送信基準ローパスフィルタTX-1との出力に結合している。拡張回路TX-4は必要な信号から入力雑音を区別する。拡張回路TX-4の出力は送信VCA TX-3の制御入力に結合され、希望していない背景雑音に関係する送信VCAの利得を減衰させることによって電子的雑音減衰を提供する。図７に示されているピンXPD1とXPD2とに結合されたタイミング静電容量２１０と２１２とは拡張開始と拡張開放との特性を決めるために使用される。
【００５８】
送信VCA TX-3は送信前置増幅器TX-2と送信基準ローパスフィルタTX-１とから入力を受け取り、２つの主要な目的を果たす。すなわち、送信VCA TX-3は送信拡張回路TX-4と共に動作して電子的雑音を低減すると共に、全体の送信チャネル出力レベル調整を行ってオプションの送信音量制御機能を介してインタフェースを正確に整合させる。送信音量制御回路２５４は図７に示されている。送信VCA TX-３の出力は送信出力ステップ減衰器TX-5に結合される。
【００５９】
ディジタルMCU１００は送信出力ポートの対を、システムアルゴリズムにおいて規定されているもっとも可能性の高い対から始めて、連続的に結合することによって、交点スイッチアレイ２を操作し始める。システムの切り替えアルゴリズムを示す説明が図４と５とに示されている。１kHzの送信較正信号が電話ベースユニットにジャック線路２０２を介して、当該１kHz信号がディジタルMCU１００によって受信レベル基準出力RX LEVEL REFで感知されるまで印加される。ディジタルMCU１００が１kHz信号を感知すると、ディジタルMCU１００は、適切な送信線路の配置に成功したことになり、その情報をラッチし、送信出力ステップ減衰器TX-5の調整を始める。
【００６０】
商業的に利用できる電話ベースユニット間には、送信線路感度に４９dBの変動幅がある。各種の電話ベースユニットとインタフェースの感度を正確に合致させることは送信信号を最良の性能にするため重要である。この問題を解決するため図８において送信VCA TX-3の信号出力は送信出力レベルに変化をもたらす送信出力ステップ減衰器TX-5に結合される。送信出力ステップ減衰器TX-5は、３２ビットアドレス指定可能ラッチ１、従ってディジタルMCU１００によって制御される送信出力マルチプレクサ６に結合される。ディジタルMCU１００は、予め決められた１kHz目標基準レベルがディジタルMCU１００によって感知されるまで、送信ステップ減衰を７dBずつ変化させ調節する。それによって、送信チャネル感度は適切なレベルに等しくされる。送信出力ステップ減衰器TX-5の出力信号は送信出力増幅器TX-6に結合される。
【００６１】
送信出力増幅器TX-6は電圧または電流駆動の出力を提供することができ、抵抗性、静電容量性または誘導性の負荷を駆動することができる。結合静電容量２３０は、送信入力ピンTX1 INを通して送信出力信号をピンTX OUTから交点スイッチアレイ２に結合するのに使用される。図７に示す、ピンTX FILT1とTX FILT2とに結合されたフィルタ静電容量２１８と２２０とは送信チャネル周波数応答を決定するために使用される。
【００６２】
電源１１の蓄電池寿命を長持ちさせるため、アナログ集積回路２００は電源１１内にスリープ回路を持っている。スリープ回路１１はVCCポートとメインICブロック電源との間に結合されている。スリープ回路制御入力は受信差動増幅器RX-1の入力RX1とRX2とに結合されている。もし入ってきた受信線路上の広帯域雑音があるレベル、好ましくは-６５dB、以下であるなら、スリープ回路はスリープタイミング静電容量２１８の値によって決まるタイミングシーケンスを始めるもし広帯域受信信号がプログラムされた時間フレーム内で-65dB Vの閾値を超えないなら、アナログ集積回路２００はスリープモードに入り、シャットダウンする。広帯域受信信号が-６５dB Vの閾値を超えると、スリープタイミングシーケンスはリセットし、アナログ集積回路は５ms以内に「目覚める」。
【００６３】
アナログ集積回路２００の好ましい実施例は、第一の回路電源として役立つようピンVCCに直接接続される任意の手ごろな電源で給電される。バンドギャップ基準回路１２は、内部ではアナログ集積回路２００用に、そして、外部ではディジタルMCU１００とVCA制御電圧用に使用される安定な基準電圧を作る。
【００６４】
線路切替回路としての４×４交点スイッチアレイ２と１００オームシャント抵抗アレイ３とのブロックダイアグラムを図９に示す。交点スイッチアレイは、４線式電話ポート２０２の１から４の線路を任意の順番および極性の二つの送信チャネルと二つの受信チャネルに接続するために設計された、４×４のアナログスイッチマトリックスからなる。これは、ビットアドレス指定可能ラッチ１を通して、ディジタルMCU１００の制御の下にあり、上記したように、適切な送信線路と受信線路とが決定される。
【００６５】
本発明は、構成と動作の原理の理解を容易にするよう細部を具体化した実施例を示して記述してきた。このような具体的実施例とその詳細についての言及は以下に添付した請求項の範囲を制限するものではない。本発明の精神と範囲を逸脱することなく説明のために選ばれた実施例に対し変更をなし得ることは当業者にとって明らかなことである。特に、本発明の方法は幾つかの異なる方法で実施することができ、上述の装置は本発明の好ましい実施例の単なる説明に過ぎず如何なる制限も受けないことは通常の当業者にとって明らかである。
【図面の簡単な説明】
【図１】「中央局（CO）ダイアルトーン学習シーケンス」のフローモデルを示す。
【図２】「自動800学習シーケンス」のフローモデルを示す。
【図３】本発明に係る「自動800」と「手動800」学習シーケンスに使用されるSITデータ送信技術のダイアグラムを示す。
【図４】本システムの切り替えアルゴリズムを示す。
【図５】図４の切り替えアルゴリズムの続きである。
【図６】典型的な電話インタフェース構成の規制部分と非規制部分とのブロックダイアグラムであり、中央局と本発明に係る「スマートインタフェース技術」（SIT)の両者のシステム接続に関係する。
【図７】フルカスタムアナログとセミカスタムディジタルマイクロコントローラ集積回路を含むSITシステムのブロックダイアグラムを示す。
【図８】本発明に係るSITフルカスタムアナログ集積回路のブロックダイアグラムを示す。
【図９】４×４の交点スイッチアレイとシャント抵抗アレイのグロックダイアグラムを示す。
【図１】
0003678756.tif 000002
【図２】
0003678756.tif 000003
【図３】
0003678756.tif 000004
【図４】
0003678756.tif 000005
【図５】
0003678756.tif 000006
【図６】
0003678756.tif 000007
【図７】
0003678756.tif 000008
【図８】
0003678756.tif 000009
【図９】
0003678756.tif 000010